(57)【特許請求の範囲】
【請求項１】
上部開口部に蓋体が螺着された第一容体と、前記蓋体付きの第一容体に被嵌され該第一容体に螺着される第二容体とからなる保温容器であって、前記第一容体と前記蓋体との螺着構造と、前記第一容体と前記第二容体との螺着構造とは逆螺子の関係に設定されていることを特徴とする保温容器。
【請求項２】
請求項１記載の保温容器において、前記第一容体と前記蓋体との螺着構造は、前記第一容体の内面上方部位に設けられる螺子部と、この螺子部と螺合し前記第一容体に嵌入する前記蓋体の嵌入部の外面に設けられる螺子部とで構成され、前記第一容体と前記第二容体との螺着構造は、前記第一容体の外面上方位置に設けられる螺子部と、この螺子部と螺合し前記第二容体の内面上方位置に設けられる螺子部とで構成されていることを特徴とする保温容器。
【請求項３】
請求項１，２いずれか１項に記載の保温容器において、前記蓋体及び前記第二容体は断熱構造を具備していることを特徴とする保温容器。
【発明の詳細な説明】
【技術分野】
【０００１】
本発明は、例えば温かい飲食物（米飯や味噌汁など）を保温収納する保温容器に関するものである。
【背景技術】
【０００２】
本出願人は、例えば温かい飲食物（米飯や味噌汁など）を保温収納する携帯タイプの保温容器として特開２０１３−４３６４４号に開示される保温容器（以下、従来例という。）を提案している。
【０００３】
この従来例は、上部開口部に蓋体が螺着された第一容体と、蓋体付きの第一容体に被嵌され該第一容体に螺着される第二容体とからなり、蓋体と第二容体は断熱構造を有している。
【０００４】
従って、従来例は、保温性に秀れたものである。
【先行技術文献】
【特許文献】
【０００５】
【特許文献１】特開２０１３−４３６４４号公報
【発明の概要】
【発明が解決しようとする課題】
【０００６】
本発明者は、前述した第一容体，蓋体及び第二容体から成る保温容器について更なる研究開発を進めた結果、従来にない作用効果を発揮する画期的な保温容器を開発した。
【課題を解決するための手段】
【０００７】
添付図面を参照して本発明の要旨を説明する。
【０００８】
上部開口部１ａに蓋体２が螺着された第一容体１と、前記蓋体２付きの第一容体１に被嵌され該第一容体１に螺着される第二容体３とからなる保温容器であって、前記第一容体１と前記蓋体２との螺着構造と、前記第一容体１と前記第二容体３との螺着構造とは逆螺子の関係に設定されていることを特徴とする保温容器に係るものである。
【０００９】
また、請求項１記載の保温容器において、前記第一容体１と前記蓋体２との螺着構造は、前記第一容体１の内面上方部位に設けられる螺子部６と、この螺子部６と螺合し前記第一容体１に嵌入する前記蓋体２の嵌入部２ａの外面に設けられる螺子部７とで構成され、前記第一容体１と前記第二容体３との螺着構造は、前記第一容体１の外面上方位置に設けられる螺子部８と、この螺子部８と螺合し前記第二容体３の内面上方位置に設けられる螺子部９とで構成されていることを特徴とする保温容器に係るものである。
【００１０】
また、請求項１，２いずれか１項に記載の保温容器において、前記蓋体２及び前記第二容体３は断熱構造を具備していることを特徴とする保温容器に係るものである。
【発明の効果】
【００１１】
本発明は上述のように構成したから、従来にない使い方が可能となり非常に使い勝手が良いなど、従来にない作用効果を発揮する画期的な保温容器となる。
【図面の簡単な説明】
【００１２】
【図１】本実施例を示す分解斜視図である。
【図２】本実施例の要部を説明する断面図である。
【図３】本実施例の要部の動作説明図である。
【図４】本実施例の要部の動作説明図である。
【図５】本実施例の要部の動作説明図である。
【図６】本実施例の要部の動作説明図である。
【発明を実施するための形態】
【００１３】
好適と考える本発明の実施形態を、図面に基づいて本発明の作用を示して簡単に説明する。
【００１４】
例えば、第一容体１に蓋体２を螺着し、続いて、第一容体１と第二容体３とを螺着すると、第一容体１は第二容体３に収納状態となる。
【００１５】
ところで、本発明は、第一容体１と蓋体２との螺着構造と第一容体１と第二容体３との螺着構造とは逆螺子の関係に設定されている。
【００１６】
この構成から、第一容体１と蓋体２とを螺着する場合と、第一容体１と第二容体３とを螺着する場合とでは、回動が逆となる。
【００１７】
従って、例えば、第一容体１，蓋体２及び第二容体３を一体とした状態において、第二容体３を持って蓋体２を第一容体１に対する締め方向に回動させると、第一容体１と蓋体２との螺着は解除されず第一容体１と第二容体３との螺着が解除され、よって、蓋体２に第一容体１が螺着された状態のまま、第二容体３から第一容体１は外れる。その後、第一容体１を持って蓋体２を弛め方向に回動させると、第一容体１と蓋体３との螺着が解除され、第一容体１と蓋体２とが分離される。
【００１８】
一方、第一容体１，蓋体２及び第二容体３を一体とした状態において、第二容体３を持って蓋体２を第一容体１に対する弛め方向に回動させると、第一容体１と第二容体３との螺着は解除されず第一容体１と蓋体２との螺着が解除され、よって、第一容体１と第二容体３とが螺着された状態のまま、蓋体２は第一容体１から外れる。この状態は第一容体１に入れた温かい飲食物を第二容体３に収納した良好な保温状態で食することができる。
【００１９】
その後、第一容体１と第二容体３とを分離させたい場合には、第二容体３を持って第一容体１に蓋体２を螺着し、更に、蓋体２を締め方向に回動させると、第一容体１と第二容体３との螺着は解除され、蓋体２付きの第一容体１と第二容体３とを分離させることができる。
【００２０】
従って、蓋体２を回動させる方向を選択するだけで、第一容体１，蓋体２及び第二容体３を完全に分離させた状態と、蓋体２だけを取り外した状態（第一容体１と第二容体３とが螺着された状態）とが得られることになり、従来にない使い方が可能となり非常に使い勝手が良い。
【実施例】
【００２１】
本発明の具体的な実施例について図面に基づいて説明する。
【００２２】
本実施例は、上部開口部１ａに蓋体２が螺着された第一容体１と、前記蓋体２付きの第一容体１に被嵌され該第一容体１に螺着される第二容体３とからなる保温容器であって、第一容体１と蓋体２との螺着構造と、第一容体１と第二容体３との螺着構造とは逆螺子の関係に設定されたものである。
【００２３】
尚、本実施例は、第一容体１に飲食物を収納する携帯タイプの保温容器（例えばスープポット）として構成しているが、本実施例の特性を発揮する用途であれば適宜採用し得るものである。
【００２４】
以下、本実施例に係る構成各部について詳細な説明をする。
【００２５】
第一容体１は、図１，２に図示したように適宜な合成樹脂製の部材（ポリプロピレン）で形成したものであり、上部開口部１ａを有して所定容量（約３００ｍｌ）の有底円筒状に設けられている。
【００２６】
また、第一容体１の内面上方部位には、螺旋凸条から成る螺子部６が設けられ、この螺子部６は、後述する蓋体２に設けられる螺子部７とで螺着構造を構成するものである。
【００２７】
また、第一容体１の外面上方部位には、螺旋凸条から成る螺子部８が設けられ、この螺子部８は、後述する第二容体３に設けられる螺子部９とで螺着構造を構成するものである。
【００２８】
蓋体２は、図１，２に図示したように適宜な金属製の部材（ステンレス鋼）で形成した外体２’に空間部Ｓを介して適宜な合成樹脂製の部材（ポリプロピレン）で形成した内体２”を配設した中空二重構造体である。
【００２９】
この蓋体２の中空部には適宜な合成樹脂製（発泡ポリスチレン）の断熱材10が配設され断熱構造を具備している。
【００３０】
また、蓋体２（内体２”）には、第一容体１の上部開口部１ａに嵌入する嵌入部２ａが突出状態に設けられている。
【００３１】
この嵌入部２ａの外面には、前述した螺子部６と螺合する螺旋凸条から成る螺子部７が設けられている。
【００３２】
従って、蓋体２は螺着構造を介して第一容体１に螺着され、この蓋体２により第一容体１の上部開口部１ａは閉塞される。
【００３３】
また、蓋体２は、嵌入部２ａ第一容体１よりも径大に設けられており、よって、第一容体１に螺着した際、蓋体２の周端部２ｂは第一容体１の外面より外方位置に突出状態となる。
【００３４】
この蓋体２の周端部２ｂは、蓋体２が螺着された第一容体１と第二容体３とを連結した際、第二容体３の上部開口縁が突き合せ当接する部位であり、この上部開口縁が当接する部位には環状のパッキン11（シリコン）が配設され、よって、第二容体３と蓋体２とにより第一容体１に対する密閉収納状態が得られる。
【００３５】
第二容体３は、外筒３’内に空間部Ｓを介して内筒３”を配設し、この外筒３’と内筒３”との間の空間部Ｓを真空断熱空間部Ｓとする有底筒状の真空断熱二重容器である。
【００３６】
具体的には、本実施例に係る外筒３’及び内筒３”は、図１，２に図示したように金属製（ステンレス鋼製）の有底筒状体であり、内筒３”は外筒３’に比して径小で高さが低く設定され、また、夫々の開口部は略同一径に設定されている。
【００３７】
従って、外筒３’内に内筒３”を配して開口部同士を接合し、外筒３’と内筒３”との間に空間部Ｓが形成される。尚、外筒３’及び内筒３”を構成する素材はステンレスなどその他の金属でも良く、本実施例の特性を発揮する構成であれば適宜採用するものである。
【００３８】
また、外筒３’の底部中央には図示省略の凹部が設けられ、この凹部の中央位置には真空封止する際の脱気孔’が設けられている。
【００３９】
以上の外筒３’及び内筒３”を用いた真空断熱二重容器の製造方法について説明する。
【００４０】
先ず、外筒３’内に内筒３”を配して互いに開口部同士を溶接により接合すると、外筒３’の内面と内筒３”の外面との間には空間部Ｓが形成される。この空間部Ｓは後に真空処理されることで真空断熱空間部Ｓとなる。
【００４１】
続いて、外筒３’と内筒３”との空間部Ｓを脱気し且つ脱気孔’を真空封止する。
【００４２】
真空過熱炉内に配する。この際、逆さ状態に配され、この状態で外筒３’の底部に設けた脱気孔の周囲にロウ材を配するとともに、このロウ材の上に封止板を載せる。
【００４３】
この状態で真空加熱炉内の温度を約９００℃以上とするとともに、徐々に脱気して高真空状態（１０-3〜１０-５Ｔｏｒｒ）とし、更に、温度を約１０５０℃まで上げる。
【００４４】
この際、ロウ材が熔融して外筒３’と封止板が一体化して脱気孔が閉塞され、外筒３’と内筒３”との間の空間部Ｓが真空状態のまま封止されて真空断熱空間部Ｓが形成され、その後、常温まで温度を下げて冷却して真空封止作業は完了する。
【００４５】
また、第二容体３（内筒３”）の内面上方位置には、前述した第一容体１の螺子部８と螺合する螺旋凸条から成る螺子部９が設けられている。
【００４６】
従って、第二容体３は螺着構造を介して第一容体１に螺着され、この第二容体３により第一容体１は被嵌収納状態となる。
【００４７】
ところで、本実施例は、前述したように第一容体１と蓋体２との螺着構造と、第一容体１と第二容体３との螺着構造とは逆螺子の関係に設定されている。具体的には、第一容体１と蓋体２との螺着構造を正螺子とし、第一容体１と第二容体３との螺着構造を逆螺子としている。
【００４８】
この構成から、第一容体１と蓋体２とを螺着する場合と、第一容体１と第二容体３とを螺着する場合とでは、逆方向に回動させることで夫々の連結が行われる。
【００４９】
即ち、第一容体１と蓋体２とを螺着する場合には、第一容体１を持って蓋体２を締め方向（図３中矢印ａ方向）に回動させることで第一容体１に螺着し、続いて、第一容体１と第二容体３とを螺着する場合には、第二容体３を持って蓋体２を第一容体１に対する弛め方向（図４中矢印ｂ方向）に回動させることで第一容体１と第二容体３とを螺着し、第一容体１は蓋体２及び第二容体３により密閉収納状態となる。
【００５０】
また、本実施例は、第一容体１，蓋体２及び第二容体３を一体とした状態において、第二容体３を持って蓋体２を第一容体１に対する締め方向（図５中矢印ｃ方向）に回動させると、第一容体１と蓋体２との螺着は解除されず第一容体２と第二容体３との螺着が解除され、よって、蓋体２に第一容体１が螺着した状態のまま、第二容体３から第一容体１は外れる。その後、第一容体１を持って蓋体２を弛め方向に回動させると、第一容体１と蓋体２との螺着が解除され、第一容体１と蓋体２とが分離される。
【００５１】
一方、第一容体１，蓋体２及び第二容体３を一体とした状態において、第二容体３を持って蓋体２を第一容体１に対する弛め方向（図６中矢印ｄ方向）に回動させると、第一容体１と第二容体３との螺着は解除されず第一容体１と蓋体２との螺着が解除され、よって、第一容体１と第二容体３とが螺着した状態のまま、蓋体２は第一容体１から外れる。この状態は第一容体１に入れた温かい飲食物を該第一容体１が第二容体３により被嵌収納された良好な保温状態で食することができる。
【００５２】
その後、第一容体１と第二容体３とを分離させたい場合には、第二容体３を持って第一容体１に蓋体２を螺着させ、更に、蓋体２を締め方向に回動させると、第一容体１と第二容体３との螺着が解除され、第一容体１と第二容体３とを分離させることができる。
【００５３】
本実施例は上述のように構成したから、蓋体２を回動させる方向を選択するだけで、第一容体１，蓋体２及び第二容体３を完全に分離させた状態と、蓋体２だけを取り外した状態（第一容体１と第二容体３とが螺着された状態）とが得られることになり、従来にない使い方が可能となり非常に使い勝手が良い。
【００５４】
また、本実施例は、第一容体１と蓋体２との螺着構造を正螺子とし、第一容体１と第二容体３との螺着構造を逆螺子としたから、回動させる方向に迷わず良好な操作が行えることができる。
【００５５】
また、本実施例は、第一容体１と蓋体２との螺着構造は、第一容体１の内面上方部位に設けられる螺子部６と、この螺子部６と螺合し第一容体１に嵌入する蓋体２の嵌入部２ａの外面に設けられる螺子部７とで構成され、第一容体１と第二容体３との螺着構造は、第一容体１の外面上方位置に設けられる螺子部８と、この螺子部８と螺合し第二容体３の内面上方位置に設けられる螺子部９とで構成されているから、確実に前述した作用効果が発揮されることになる。
【００５６】
また、本実施例は、蓋体２及び第二容体３は断熱構造を具備しているから、極めて保温性の良い構造となる。
【００５７】
尚、本発明は、本実施例に限られるものではなく、各構成要件の具体的構成は適宜設計し得るものである。
【符号の説明】
【００５８】
１  第一容体
１ａ  上部開口部
２  蓋体
２ａ  嵌入部
３  第二容体
６  螺子部
７  螺子部
８  螺子部
９  螺子部
【図１】
0006408930.tif 000002
【図２】
0006408930.tif 000003
【図３】
0006408930.tif 000004
【図４】
0006408930.tif 000005
【図５】
0006408930.tif 000006
【図６】
0006408930.tif 000007